(57)【特許請求の範囲】
【請求項１】
上面に魚投入口が設けられると共に当該魚投入口に連続して内部に収容室が区画された容器本体と、
上記収容室の内側から上記魚投入口を閉塞することによって当該魚投入口を閉じる閉塞姿勢と当該閉塞姿勢から上記収容室の内側へ開いた開放姿勢との間で姿勢変化可能に設けられた一対の扉片を有する観音開き式扉とを備え、
上記各扉片の基端は、上記魚投入口の一端側に左右対称に配置された一対の支持軸によって回動自在に支持されており、
上記上面の短手方向に沿う仮想軸がX軸、当該Ｘ軸に直交し上記上面の長手方向に沿う仮想軸がＹ軸、これらＸ軸及びＹ軸に直交する仮想軸がＺ軸である場合に、上記いずれか一方の支持軸は、Ｘ軸に沿って配置され、Ｙ軸の回りに角度αだけ回転され且つＺ軸の回りに角度βだけ回転された位置に配置されている釣用容器。
【請求項２】
上記角度αは、上記一方の支持軸が上記収容室側から上記上面側へ上り傾斜となるように設定されている請求項１に記載の釣用容器。
【請求項３】
上記角度αは、上記一方の支持軸が上記上面側から上記収容室側へ下り傾斜となるように設定されている請求項１に記載の釣用容器。
【請求項４】
上記一対の扉片を常時閉塞姿勢に弾性的に付勢する付勢部材が備えられている請求項１から３のいずれかに記載の釣用容器。
【発明の詳細な説明】
【技術分野】
【０００１】
本発明は、鮎釣りに使用されるオトリ鮎を保存するためのオトリ缶や曳舟、磯釣り等に使用される釣用バッグその他の釣用容器の構造に関するものである。
【背景技術】
【０００２】
例えば、鮎釣りでは、「友釣り」と称される釣法が採用されることが多い。この友釣りは、掛け針を備えた鮎がオトリとして使用され、釣人は、このオトリ鮎を操作してターゲットとなる鮎のテリトリーに侵入させる。ターゲットとなる鮎は、侵入したオトリ鮎を自己のテリトリーから排除すべく当該オトリ鮎にアタックする。このときに、オトリ鮎に設けられた掛け針がターゲットとなる鮎に掛かり、この鮎が釣り上げられる。
【０００３】
オトリ鮎は、掛け針を備えると共にターゲットとなる鮎のテリトリーに繰り返して侵入するから、やがてオトリ鮎の体力が衰える。体力の衰えた鮎は、ターゲットとなる鮎のアタックを誘発するオトリとしての機能を発揮しなくなるため、釣人は、実釣中に適宜オトリ鮎を交換する必要がある。したがって、友釣りの実釣では、複数尾のオトリ鮎が体力を保持したまま保存されていることが重要である。そのため、従来から、友釣りの実釣においては、オトリ缶と称されるオトリ鮎の保存用容器が用いられている（例えば、特許文献１〜特許文献３参照）。
【０００４】
オトリ缶は、内部に水と共に鮎を収容することができる。しかも、このオトリ缶は、水中に配置されることにより、内部に収容された水が外部の水との間で循環し、常に新鮮な水が供給されるようになっている。このため、オトリ鮎は、実釣中に長時間にわたって保存される。
【０００５】
【特許文献１】実開昭６３−２６２７９号公報
【特許文献２】特開２００５−４００２６号公報
【特許文献３】特開２００５−４００２８号公報
【発明の開示】
【発明が解決しようとする課題】
【０００６】
ところで、釣人は、実釣中に釣れた鮎もオトリ缶に収容する。つまり、オトリ缶は、魚籠としても利用される場合がある。そのため、オトリ缶は、内部に連通する開口を備えており、この開口に扉が設けられている。そして、この扉は、釣人が鮎を簡単且つ迅速に挿入することができると共に、オトリ缶内に収容された鮎が外部に飛び出ることを確実に防止することができるものでなければならない。
【０００７】
本発明は、かかる背景のもとになされたものであって、その目的は、例えば魚が円滑に内部に案内されると共に内部から魚が飛び出ることを確実に防止した扉を有する釣用容器を提供することである。
【課題を解決するための手段】
【０００８】
(1) 上記目的が達成されるため、本発明に係る釣用容器は、上面に魚投入口が設けられると共に当該魚投入口に連続して内部に収容室が区画された容器本体と、上記収容室の内側から上記魚投入口を閉塞することによって当該魚投入口を閉じる閉塞姿勢と当該閉塞姿勢から上記収容室の内側へ開いた開放姿勢との間で姿勢変化可能に設けられた一対の扉片を有する観音開き式扉とを備える。各扉片の基端は、上記魚投入口の一端側に左右対称に配置された一対の支持軸によって回動自在に支持されている。上記上面の短手方向に沿う仮想軸がX軸、当該Ｘ軸に直交し上記上面の長手方向に沿う仮想軸がＹ軸、これらＸ軸及びＹ軸に直交する仮想軸がＺ軸である場合に、上記いずれか一方の支持軸は、Ｘ軸に沿って配置され、Ｙ軸の回りに角度αだけ回転され且つＺ軸の回りに角度βだけ回転された位置に配置されている。
【０００９】
この釣用容器では、一対の扉片が各支持軸の回りに回動することによって魚投入口が開閉される。このとき、一方の扉片を支持する支持軸の位置は、次のように決定される。すなわち、まず、一方の支持軸は、上記Ｘ軸に沿って配置される。そして、上記Ｙ軸の回りに角度αだけ回転される。これにより、当該支持軸は、当該ＸＹＺ座標系の原点（Ｘ軸、Ｙ軸及びＺ軸の交点）を中心にしてＺ−Ｘ平面上で回転され、当該支持軸は、上記上面に対して角度αで交差する。さらに、この支持軸は、Ｚ軸の回りに角度βだけ回転される。これにより、当該支持軸は、上記上面上（Ｘ−Ｙ平面上）においてＸ軸と角度βで交差するように傾斜する。また、他方の扉片を支持する他方の支持軸は、上記一方の支持軸に対して左右対称に配置されているから、当該一方の支持軸と左右対称に傾斜している。
【００１０】
一対の扉片は、上記一対の支持軸の回りに回動するから、上記角度α及び角度βが所定の角度に設定されることにより、一対の扉片が閉塞姿勢から開放姿勢へと変化すると、各扉片の基端部側同士が互いに離反すると共に、上記角度αの大きさに応じて各扉片の先端部同士がより顕著に離反する。さらに、上記角度βの値に応じて、一対の扉片の開き方が変化する。すなわち、上記角度βが所定の角度に設定されることにより、各扉片の先端部同士がより一層顕著に離反することもできるし、また、上記角度βが他の角度に設定されることにより、各扉片が開放姿勢へと変化する際に各扉片の先端部同士が近接した状態、つまり一対の扉片が上記鮎投入口から上記収容室内へ傾斜するように開くこともできる。
【００１１】
換言すれば、従来においては、上記角度βは例えば４５°（ｄｅｇｒｅｅ）に設定され、角度αが０°に設定されていた。したがって、各扉片が開かれる際にＸ軸回りの回転成分にＹ軸回りの回転成分が加味され、各扉片の先端部は横方向に移動して当該先端部同士が離反する。本発明では、上記角度αが０°ではなく一定の大きさをもっているから、各扉片が開かれる際に、さらにＺ軸回りの回転成分が加えられる。このため、上記角度αが一定の値に設定されることによって、一対の扉片は、その先端部同士が一層顕著に離反するように開かれるし、また、上記先端部同士が離反しないように（すなわち、先端部同士の離反作用が打ち消されるように）一対の扉片が開かれる。
【００１２】
(2) 上記角度αは、上記一方の支持軸が上記収容室側から上記上面側へ上り傾斜となるように設定されていてもよい。
【００１３】
これにより、一対の扉片が閉塞姿勢から開放姿勢へと変化すると、各扉片の先端部同士は、なお一層顕著に離反することができる。
【００１４】
(3) 上記角度αは、上記一方の支持軸が上記上面側から上記収容室側へ下り傾斜となるように設定されていてもよい。
【００１５】
これにより、一対の扉片が閉塞姿勢から開放姿勢へと変化すると、各扉片の先端部同士は、互いに近接するように変位する。すなわち、上記角度βが設定されることによる上記先端部同士の離反作用が抑制され、したがって、一対の扉片は、上記鮎投入口から上記収容室内へ傾斜するように開く。
【００１６】
(4) 上記一対の扉片を常時閉塞姿勢に弾性的に付勢する付勢部材が備えられているのが好ましい。
【００１７】
これにより、上記一対の扉片が常時閉塞姿勢となるから、釣人は、実釣において一対の扉片を閉め忘れることはない。また、一対の扉片は弾性的に付勢されているから、釣人は、所望時に一対の扉片を押圧するだけで、簡単且つ迅速に一対の扉片を開放姿勢に変化させることができる。
【発明の効果】
【００１８】
本発明によれば、一対の扉片を支持する支持軸が所定の角度で所定方向に傾斜されることにより、一対の扉片は、釣人にとって魚を魚投入口から収容室内へ円滑に導入することができるように開閉する。また、一対の扉片は、観音開き式に開閉するから、釣用容器の内部から魚が飛び出ることが防止される。したがって、この釣用容器は、実釣中に魚籠としても使用され得る。
【発明を実施するための最良の形態】
【００１９】
以下、適宜図面が参照されつつ、好ましい実施形態に基づいて本発明が詳細に説明される。
【００２０】
＜第１の実施形態＞
【００２１】
図１は、本発明の第１の実施形態に係るオトリ缶（釣用容器）の斜視図である。
【００２２】
オトリ缶１０は、鮎釣り（友釣り）の際に釣人によって携行される。釣人は、このオトリ缶１０内にオトリ鮎を水と共に収容する。これにより、釣人は、オトリ鮎を保存することができるし、釣れた鮎をオトリ缶１０内で保存することができる。オトリ缶１０は、本体１１（容器本体）と、これに取り付けられた外蓋１２とを備えている。この外蓋１２は、本体１１に対して着脱自在となっている。
【００２３】
図２は、上記本体１１の斜視図であって、上記外蓋１２が取り外された状態を示している。
【００２４】
この外蓋１２は、合成樹脂等によって一体的に成形されている。図１が示すように、外蓋１２は一対のラッチ１３を備えている。各ラッチ１３は、外蓋１２の両側の側縁にそれぞれ設けられている。各ラッチ１３は、矢印１４の方向に回動自在となっている。外蓋１２が本体１１の上面１８（図２参照）に取り付けられた状態で各ラッチ１３が倒伏されると、各ラッチ１３が本体１１に係合し、これにより、外蓋１２が本体１１に固定される。また、その状態から各ラッチ１３が起立されると、各ラッチ１３と本体１１との係合が解除され、外蓋１２は、本体１１から取り外される。
【００２５】
外蓋１２の天面１５に凹部１６、１７が設けられている。各凹部１６、１７は、上記天面１５の両端部に左右対称に配置されている。もっとも、各凹部１６、１７は、天面１５の中心を基準として中心対称となる位置に配置されていてもよい。なお、凹部１６又は凹部１７のうちいずれか一方のみが天面１５に設けられていてもよい。この凹部１６、１７は、図示されていないエアポンプを収容し、保持することができる。また、凹部１６、１７の周囲にベルト連結部１９、２０が設けられている。このベルト連結部１９、２０に図示されていないベルトが連結されるようになっている。上記凹部１６、１７にエアポンプが収容された状態で上記ベルトが当該エアポンプに巻き掛けられ、さらに上記ベルト連結部１９、２０に係合されることにより、上記エアポンプは、このベルトに締め付けられて上記凹部１６、１７内で確実に固定される。
【００２６】
外蓋１２の隅部にバイパス部２１、２２が設けられている。これらバイパス部２１、２２は、上記エアポンプが吐出する空気を外蓋１２の内側へバイパスする。本実施形態では、バイパス部２２は、上記凹部１７の壁面２３に設けられており、また、バイパス部２１は、上記凹部１６の壁面に設けられている。図１では、凹部１６の壁面が図示されていないが、バイパス部２１及びバイパス部２２は、同図が示すように外蓋１２の隅部に対称な位置に配置されている。具体的には、各バイパス部２１及びバイパス部２２は、天面１５の中心を基準として中心対称となる位置に配置されている。本実施形態では、バイパス部２１、２２は、それぞれ上記凹部１６、１７に対応して設けられているから、上記凹部１６及び凹部１７のうちいずれか一方が省略された場合は、これに応じてバイパス部２１又はバイパス部２２も省略される。
【００２７】
図３は、上記外蓋１２の要部拡大斜視図であって、外蓋１２の裏面が図示されている。
【００２８】
バイパス部２２は、ポンプ連結部２５（図１参照）と、スイベルジョイント２６と、チューブ連結部２７とを備えている。本実施形態では、ポンプ連結部２５は管状に形成されている。上記エアポンプの空気吐出口は、例えばチューブを介してポンプ連結部２５に連結される。また、チューブ連結部２７も管状に形成されている。本実施形態では、このチューブ連結部２７にエアチューブ２８が連結されている。このチューブ連結部２７は上記スイベルジョイント２６に接続されているから、エアチューブ２８は、スイベルジョイント２６の回転中心軸２９の回りに回動し、姿勢を変化させることが可能である。このエアチューブ２８は、本体１１の内部（後述の収容室３１）に空気を導く。エアチューブ２８の先端に分散器３０が取り付けられている。この分散器３０は、円筒状に形成されており、その周面に多数の微細孔が貫通形成されている。これにより、エアチューブ２８によって送給された空気は、分散器３０から均等に分散放出される。なお、バイパス部２１もバイパス部２２と同様の構成であるため、その説明は省略される。
【００２９】
図２が示すように、本体１１は、例えば合成樹脂等によって中空の直方体状に形成されている。本体１１の内部に、オトリ鮎が収容される収容室３１が設けられている（図５参照）。もっとも、本体１１の外形形状は、直方体状に限定されるものではなく、他の形状が採用されてもよいことは勿論である。
【００３０】
本体１１の上面１８に開口が設けられており、この開口を開閉する内蓋３２が本体１１に備えられている。この内蓋３２によって開閉される開口は、上記収容室３１と連通している。この内蓋３２も合成樹脂等により形成されている。内蓋３２は、ヒンジ３４を介して本体１１の上面１８に取り付けられている。このため、内蓋３２は、本体１１に対して矢印３６の方向に回動し、上記開口を閉じる姿勢と、上記開口を開放する姿勢との間で姿勢変化するようになっている。内蓋３２の外形形状は、上記開口の形状に対応されている。したがって、内蓋３２が上記開口を閉じる姿勢となったときは、上記開口にぴったりと嵌め込まれるようになっている。
【００３１】
内蓋３２の隅部に貫通孔３８、３９が設けられている。図２が示すように、２つの貫通孔３８、３９は、内蓋３２の対角線上の端部にそれぞれ設けられている。具体的には、貫通孔３８は、上記外蓋１２が本体１１に取り付けられた状態で、上記バイパス部２１の直下に対応する位置に、すなわち、このバイパス部２１と対向する位置に設けられている。また、貫通孔３９は、上記外蓋１２が本体１１に取り付けられた状態で、上記バイパス部２２の直下に対応する位置に、すなわち、このバイパス部２２と対向する位置に設けられている。各貫通孔３８、３９は、内蓋３２を貫通して本体１１の上記収容室３１と連通している。各貫通孔３８、３９の内径寸法は、上記エアチューブ２８（図３参照）が挿通され得るように設定されている。各貫通孔３８、３９が上記バイパス部２１、２２の直下に対応する位置に設けられていることによる作用効果については後述される。
【００３２】
また、内蓋３２は、ロック部材３５を備えている。内蓋３２が閉じられた状態でロック部材３５が操作されることによって、内蓋３２は、当該閉じ姿勢にロックされる。この内蓋３２が上記開口を閉じると、当該内蓋３２の上面が本体１１の上面１８と同一平面上に配置され、当該上面１８の一部を構成する。なお、このロック部材３５は、省略されていてもよい。
【００３３】
図２が示すように、上記内蓋３２は、その上面に副蓋４１を備えている。図４は、上記本体１１の要部拡大平面図であって、この副蓋４１の構成を詳細に示している。また、図５は、上記本体１１の斜視図であって、上記副蓋４１が開放された状態を示している。
【００３４】
図５が示すように、内蓋３２の上面４０に開口３３が設けられている。内蓋３２に設けられた副蓋４１は、この開口３３を開閉する。この開口３３は、上記収容室３１と連通している。上記副蓋４１も合成樹脂等により形成されている。副蓋４１は、ヒンジ４２を介して内蓋３２の上面４０に取り付けられている。このため、副蓋４１は、図２及び図４が示すように、本体１１に対して倒伏して上記開口３３を閉じる姿勢と、図５が示すように、上記開口３３を開放する姿勢との間で姿勢変化するようになっている。この副蓋４１の外形形状は、上記開口３３の形状に対応されている。したがって、副蓋４１が上記開口３３を閉じる姿勢となったときは、この開口３３にぴったりと嵌め込まれるようになっている。
【００３５】
また、副蓋４１は、ロック部材４３を備えている。副蓋４１が閉じられた状態でロック部材４３が操作されることによって、副蓋４１は、当該閉じ姿勢にロックされる。この副蓋４１が上記開口３３を閉じると、当該副蓋４１の上面５１が本体１１の上面１８と同一平面上に配置され、当該上面１８の一部を構成する。なお、このロック部材４３は、省略されていてもよい。
【００３６】
図４及び図５が示すように、内蓋３２に副蓋４１が設けられているから、上記貫通孔３９は、この副蓋４１の隅部に設けられている。しかも、この貫通孔３９は、当該副蓋４１の外縁４４まで切り欠かれている。すなわち、上記貫通孔３９は、鍵穴状に形成されており、副蓋４１の外側へ開放されている。このように、上記貫通孔３９が副蓋４１の外縁４４まで切り欠かれることによる作用効果については後述される。なお、本実施形態では、この貫通孔３９のみが副蓋４１の外縁４４まで切り欠かれているが、上記貫通孔３８も内蓋３２の外縁まで切り欠かれていてもよい。また、本実施形態では、図２が示すように、内蓋３２の中央から一方側に上記開口３３が設けられ、この開口３３を開閉する副蓋４１が設けられているが、内蓋３２の中央から他方側にも同様の開口が設けられ、これを開閉する副蓋が設けられてもよい。
【００３７】
図２及び図４が示すように、副蓋４１の上面５１に開口５０（魚投入口）が設けられている。前述のように、副蓋４１の上面が本体１１の上面１８の一部を構成しているから、上記開口５０は、本体１１の上面１８に設けられていることになる。そして、この開口５０は、本体１１の収容室３１と連通している。副蓋４１は、この開口５０を開閉する扉４５を備えている。この扉４５は、いわゆる観音開き式に構成されており、一対の扉片４６、４７を備えている。釣人は、この扉４５を開けることにより、上記開口５０から鮎を収容室３１に投入することができる（図５参照）。なお、本実施形態では、この扉４５が副蓋４１に設けられているが、この副蓋４１が省略され、本体１１に直接に扉４５が設けられていてもよいことは勿論である。
【００３８】
図２及び図４が示すように、上記開口５０は略吊鐘状に形成されている。したがって、これを開閉する扉４５も全体として略吊鐘状に形成されている。図５が示すように、この扉４５を構成する扉片４６、４７は左右対称に形成されており、上記開口５０を収容室３１の内側から閉じる閉塞姿勢と、この閉塞姿勢から収容室３１の内部へ開くことによって上記開口５０を開放する開放姿勢との間で自在に姿勢変化する。
【００３９】
扉片４６は、ベース５６に支持されている。このベース５６は、副蓋４１の裏面に固定されている。このベース５６は、上記開口５０の長手方向の端部（魚投入口の一端側）、すなわち、上記開口５０の長手方向であって本体１１の側壁７０側に配置されている。扉片４６の基端部５７はフォーク状に形成されている。この基端部５７は、上記ベース５６を挟持するように配置されている。このベース５６と上記基端部５７は、支持軸５２を介して連結されている。つまり、扉片４６の基端が上記開口５０の長手方向の一端部に配置された支持軸５２によって回動自在に支持されており、この扉片４６は、開口５０の長手方向に延びるフラップ状に形成されている。なお、図５では、支持軸５２は、上記ベース５６内に配置されているため、その一部のみが図示されている。
【００４０】
一方、扉片４７もベース５８に支持されている。このベース５８も上記開口５０の長手方向の端部、すなわち、上記開口５０の長手方向であって本体１１の側壁７０側に配置されている。ベース５８も副蓋４１の裏面に固定されている。このベース５８と上記ベース５６とは、上記開口５０の長手方向（後述されるＹ軸方向）を基準にして互いに左右対称な位置に配置されている。扉片４７の基端部５９もフォーク状に形成されており、上記ベース５８を挟持するように配置されている。このベース５８と上記基端部５９は、支持軸５３を介して連結されている。上記ベース５６と上記ベース５８とが左右対称に配置されていることから、上記支持軸５２と上記支持軸５３とは、上記開口５０の長手方向を基準にして互いに左右対称に配置されている。つまり、扉片４７の基端が上記開口５０の長手方向の一端部に配置された支持軸５３によって回動自在に支持されており、この扉片４７は、上記開口５０の長手方向に延びるフラップ状に形成されている。なお、図５では、支持軸５３は、上記ベース５８内に配置されているため、その一部のみが図示されている。
【００４１】
上記支持軸５２及び上記支持軸５３は、同図が示すように傾斜して配置されている。すなわち、支持軸５２の中心軸６２及び支持軸５３の中心軸６３は、後に詳述されるように三次元的に交差している。各支持軸５２及び支持軸５３が傾斜していることによる作用効果については、後述される。
【００４２】
上記支持軸５２にねじりコイルバネ６０（付勢部材）が設けられ、上記支持軸５３にねじりコイルバネ６１（付勢部材）が設けられている。ねじりコイルバネ６０は、ベース５６と扉片４６との間に介在されており、これにより、扉片４６は、上記閉塞姿勢となるように弾性的に上記開口５０の周縁部に上記収容室３１の内側から付勢されている。同様に、ねじりコイルバネ６１は、ベース５８と扉片４７との間に介在されており、これにより、扉片４７は、上記閉塞姿勢となるように弾性的に上記開口５０の周縁部に上記収容室３１の内側から付勢されている。したがって、扉４５は常時閉じられており、釣人が扉片４６、４７を副蓋４１の上面５１側から押圧した場合にのみ開けられる。
【００４３】
図６は、支持軸５２及び支持軸５３の位置関係を示すためのオトリ缶１０の模式図である。
【００４４】
同図では、上記支持軸５３の位置は、当該支持軸５３の一端部６６を原点とする３次元直交座標系において記述される。すなわち、支持軸５３の一端部６６を原点として、上記本体１１の上面１８の短手方向に沿う仮想線がＸ軸を構成し、このＸ軸に直交して上記上面１８の長手方向に沿う仮想線がＹ軸を構成する。そして、これらＸ軸及びＹ軸に直交する仮想線がＺ軸を構成している。
【００４５】
上記支持軸５３の方向、すなわち、支持軸５３の中心軸６３は、次の要領で傾斜されている。図７は、上記支持軸５３の姿勢を決定する要領を（ａ）から（ｃ）の順に示す図である。
【００４６】
図７（ａ）が示すように、まず、上記支持軸５３は、Ｘ軸に沿って配置される。このとき、当該支持軸５３の一端部６６は、上記原点と一致している。すなわち、支持軸５３の中心軸６３が上記原点を通過している。次に、同図（ｂ）が示すように、支持軸５３は、Ｙ軸の回りに角度αだけ回転される。角度αの方向は、支持軸５３の他端部６７が上記上面１８から離れる方向、すなわち同図（ｂ）では反時計回りの方向が正である。換言すれば、支持軸５３の一端部６６から他端部６７に向かって当該支持軸５３が上記収容室３１側から上記上面１８側へ上り傾斜となる場合に、上記角度αの方向が正となる。この角度αは、本実施形態では１０°に設定されている。ただし、この角度αは、扉片４６、４７のサイズや支持軸５２及び支持軸５３間の距離等に応じて、−１０°〜２０°の範囲で適宜設定される。この角度αが負（マイナス）の角度に設定されることにより、支持軸５３の一端部６６から他端部６７に向かって、当該支持軸５３は上記収容室３１側へ下り傾斜となる。さらに、同図（ｃ）が示すように、支持軸５３は、Ｚ軸の回りに角度βだけ回転される。角度βについては、Ｘ軸からＹ軸側へ反時計回りの方向が正である。この角度βは、本実施形態では３０°に設定されている。ただし、この角度βは、２０°〜６０°の範囲で適宜設定される。
【００４７】
上記角度α、角度βが設定されることにより、上記支持軸５３は、図５が示すように三次元的に傾斜し、上記収容室３１側から上り傾斜となるように配置されている。一方、上記支持軸５２は、上記支持軸５３と左右対称に配置されている。すなわち、支持軸５２は、上記本体１１の上面１８の長手方向を基準にして対称に配置されている。したがって、支持軸５２も、その一端部６８から他端部６９に向かって上記収容室３１側から上り傾斜となるように三次元的に傾斜されている。
【００４８】
釣人は、実釣において釣れた鮎を次の要領でオトリ缶１０内に収容する。つまり、このオトリ缶１０は、魚籠としても使用され得る。
【００４９】
釣人は、鮎を手で把持しながら扉４５を上方から押圧する。これにより、扉４５が開いて上記開口５０が開放される。釣人は、当該鮎を放すことにより、当該鮎は、扉片４６、４７に案内されながら上記収容室３１へ送られる。このとき、一対の扉片４６、４７は、それぞれ、上記支持軸５２、５３を中心として回動し、しかも、各支持軸５２、５３は、図５及び図６が示すように、収容室３１側から上り傾斜となっているから、扉片４６、４７が閉塞姿勢にある状態から開かれるときに、各扉片４６、４７の先端同士は、著しく離反する。すなわち、上記角度βが設定されることにより、一対の扉片４６、４７の先端が上記開口５０から上記収容室３１側へ互いに離反するように移動するが、上記角度αが設定されることにより、一対の扉片４６、４７の先端同士の離反作用が助長され、上記開口５０から上記収容室３１側へ大きく移動する。つまり、上記開口５０が素早く且つ大きく開かれる。
【００５０】
したがって、釣人は、釣れた鮎を簡単且つ迅速に上記収容室３１に入れることができる。さらに、一対の扉片４６、４７は、上記開口５０の内側へ開くから、収容室３１内から鮎が飛び出ることが確実に防止される。その結果、釣人は、釣竿、タモ網その他の釣道具を携帯しながら、片手で鮎を収容することができ、円滑な実釣が可能である。
【００５１】
特に、本実施形態では、各扉片４６、４７は、ねじりコイルバネ６０、６１によって常時閉塞姿勢となるように付勢されている。したがって、釣人は、実釣において一対の扉片４６、４７を閉め忘れることはないし、また、釣人は、所望時に各扉片４６、４７を押圧するだけで、簡単且つ迅速に扉４５を開くことができる。
【００５２】
前述のように、本実施形態では、各支持軸５２、５３は、それぞれ、上記収容室３１側から上り傾斜となっているが、支持軸５２及び支持軸５３が収容室３１側へ下り傾斜となっていてもよい。すなわち、上記角度αが負の角度に設定されていてもよい。この場合、各扉片４６、４７は、その先端が上記開口５０から上記収容室３１の内奥部側に突出するように傾斜すると共に、扉片４６の基端部５７側の部分と扉片４７の基端部５９側の部分とが互いに離反しつつ、各扉片４６、４７の先端側部分同士が近接する。つまり、上記角度αが負の角度に設定されることにより、各扉片４６、４７の先端側部分同士の離反作用が抑制され、一対の扉片４６、４７は、上記開口５０から上記収容室３１の内奥部側に傾斜するように、換言すれば、略漏斗状に開くことになる。したがって、釣人は、鮎を傾斜した扉片４６、４７上に載置するだけで、当該鮎は当該扉片４６、４７に案内されつつ上記収容室３１に簡単に導かれる。しかも、一対の扉片４６、４７が略漏斗状に開くから、収容室３１内の鮎が上記開口５０から容易に外部に飛び出てしまうことがない。
【００５３】
加えて、釣人は、このオトリ缶１０を例えばオトリ鮎を保存するための容器として使用することもできる。釣人は、オトリとして使用する鮎を本体１１の収容室３１内に水と共に収容し、上記内蓋３２を閉じると共に外蓋１２を取り付ける。これにより、釣人は、安全にオトリ鮎を搬送することができる。さらに、釣人は、外蓋１２の凹部１６、１７（図１参照）にエアポンプを取り付けることができる。エアポンプは、各凹部１６、１７に設けられたバイパス部２１、２２に接続される。エアポンプから吐出される空気は、バイパス部２１、２２によって外蓋１２の外側から内側にバイパスされる。
【００５４】
また、図２が示すように、内蓋３２に上記貫通孔３８、３９が設けられている。この貫通孔３８、３９は、前述のように、バイパス部２１、２２の直下に対応する位置に設けられているから、バイパス部２１、２２に接続されたエアチューブ２８（図３参照）は、極端に屈曲したり湾曲したりすることなく、真直に垂下した状態で貫通孔３８、３９を挿通し、上記収容室３１内に延びる。したがって、上記収容室３１に収容されたオトリ鮎に確実に空気が供給される。
【００５５】
しかも、上記バイパス部２１、２２は、前述のように、外蓋１２の対角線上に対称に配置され、且つバイパス部２１、２２に接続されるエアチューブ２８が挿通される貫通孔３８、３９もバイパス部２１、２２に対応する位置に設けられている。したがって、外蓋１２が本体１１に対して如何なる向きに取り付けられようとも、すなわち、図１において、凹部１７が手前側に配置されるように外蓋１２が本体１１に取り付けられても、上記バイパス部２１、２２の直下に上記貫通孔３８、３９が存在することになる。これにより、外蓋１２の向きにかかわらず、上記エアチューブ２８は、内蓋３２を貫通して真っ直ぐに上記収容室３１内に延び、確実にオトリ鮎に空気が供給される。
【００５６】
このように本実施形態に係るオトリ缶１０によれば、上記外蓋１２の取付方向にかかわらず上記エアチューブ２８が湾曲ないし屈曲されることなく真っ直ぐにオトリ缶１０の本体１１の内部に導かれるので、上記収容室３１内に確実に空気が供給され、オトリ鮎の体力が長時間にわたって維持される。
【００５７】
特に、本実施形態に係るオトリ缶１０では、上記内蓋３２が上記副蓋４１を備えており、図４及び図５が示すように、上記貫通孔３９が、この副蓋４１に設けられ且つ当該副蓋４１の外縁４４まで切り欠かれている。したがって、副蓋４１が開かれると、上記エアチューブ２８は、当該貫通孔３９の内部から上記外縁４４側へ容易に抜脱される。そして、再び副蓋４１が閉じられると、上記エアチューブ２８は、自動的に上記貫通孔３９内に挿入される。
【００５８】
ところで、上記エアチューブ２８の先端部には、上記分散器３０その他のオプション部品が取り付けられる。このオプション部品の仕様はさまざまであって、オプション部品の外形寸法は、上記貫通孔３８、３９よりも大きい場合もある。このような場合、オプション部品がエアチューブ２８に取り付けられたままでは、釣人は、外蓋１２を外した際にエアチューブ２８を副蓋４１から抜き取ることができず、一般にオトリ缶の使い勝手が悪くなる。ところが、本実施形態に係るオトリ缶１０では、前述のように副蓋４１の開閉に合わせて上記エアチューブ２８が貫通孔３９に挿抜されるから、上記エアチューブ２８に種々のオプション部品が装着されていても、釣人は、外蓋１２を外した際に簡単に上記エアチューブも取り外すことができる。
【００５９】
さらに、本実施形態に係るオトリ缶１０では、一対の凹部１６、１７が設けられているため、複数のエアポンプが搭載され得る。したがって、大量の空気が上記収容室３１に供給されるので、多くの鮎が収容室３１内に収容された場合であっても、鮎の体力低下が効果的に防止される。しかも、各凹部１６、１７の壁面にバイパス部２１、２２が設けられているから、各バイパス部は、各エアポンプの近傍に配置されることになる。このため、各エアポンプから吐出された空気は、直ちにバイパス部２１、２２を通って上記外蓋１２の内側へ、すなわち上記収容室３１内に供給されるという利点がある。
【００６０】
＜第２の実施形態＞
【００６１】
次に、本発明の第２の実施形態について説明される。
【００６２】
図８ないし図１０は、本発明の第２の実施形態に係る鮎釣用曳舟（釣用容器）の斜視図である。
【００６３】
この鮎釣用曳舟８０は、鮎釣りの際にオトリとして使用される鮎を生きたまま保存するためのものである。鮎釣用曳舟８０は、実釣中に釣人の身体等に係留され、川面に浮かべられる。鮎釣用曳舟８０は、曳舟本体８１と、図示されていない係留ロープとを備えている。この係留ロープの一端部は、曳舟本体８１の船首に設けられたロープアンカー８２に連結され、係留ロープの他端部は、例えば釣人の腰部に繋がれる。
【００６４】
曳舟本体８１は、ボート状の外観を呈し、例えばアクリロニトリルブタジエンスチレン共重合体（ＡＢＳ）、アクリル、ポリプロピレン（ＰＰ）、ポリカーボネート（ＰＣ）、等の樹脂から構成される。本実施形態では、曳舟本体８１は、下部本体１０５及び上部本体１０６とを有し、これらが上下方向に嵌め合わされている。両者が嵌め合わされる位置は、同図において、パーティングラインＮ１で示されている。
【００６５】
図１０が示すように、曳舟本体８１の内部は空洞になっており、この空洞により、鮎を収容する収容室１０７が構成されている。また、曳舟本体８１の上面８３に開口１０８が設けられている。この開口１０８は、上記収容室１０７と連通している。さらに、曳舟本体８１に蓋８４が取り付けられている。この蓋８４は、上記開口１０８を開閉する。この蓋８４は、ヒンジ８５を介して曳舟本体８１に対して回動可能に連結されている。具体的には、蓋８４の基端部が蓋支持軸１０９によって支持されている。この蓋支持軸１０９は、上記開口１０８に隣接し、当該開口１０８を臨む位置に左右方向に沿って配置されている。蓋８４は、この蓋支持軸１０９を中心に回動し、俯仰動作することができる。
【００６６】
したがって、蓋８４は、図８及び図９が示すように上記開口１０８を閉じることができ、また、図３が示すように上記開口１０８を開くことができる。この蓋８４が開けられると、上記開口１０８が露出するので、釣人は、容易に鮎を上記収容室１０７に出し入れすることができる。本実施形態の特徴とするところは、この蓋８４に、後述のように開閉される扉８６（観音開き式扉）が設けられている点である。この扉８６が設けられることにより、釣人は、実釣中に鮎を上記収容室１０７へ容易に投入することができるようになっている。
【００６７】
曳舟本体８１は、給水孔８９〜９１及び排水孔９２〜９４を備えている。これらは、曳舟本体８１の内部と連通している。したがって、この鮎釣用曳舟８０が川面に浮かべられると、水が上記給水孔８９〜９１から曳舟本体８１の内部、すなわち上記収容室１０７に進入し、この収容室１０７内の水は、上記排水孔９２〜９４から排出される。上記収容室１０７に水が進入した場合であっても、鮎釣用曳舟８０が沈没しないように曳舟本体８１の浮力が設定されている。
【００６８】
上記給水孔８９〜９１は、船首前面９８に左右対称に設けられている。図８に、船首前面９８の左側に配置された給水孔８９〜９１が示されている。各給水孔８９〜９１は、細長の貫通孔からなり、船首前面９８に沿って上下方向に延びている。上記排水孔９２〜９４は、曳舟本体８１の側面１００に左右対称に設けられている。図８〜図１０では、左舷側面１００に配置された排水孔９２〜９４が示されている。各排水孔９２〜９４は、細長の貫通孔からなり、左舷及び右舷の側面１００に沿って前後方向に延びている。
【００６９】
上記蓋８４は、ロック機構８７を備えている。このロック機構８７は、上記蓋８４が閉じ姿勢にあるとき、すなわちこの蓋８４が上記開口１０８を閉塞しているときに、当該閉じ姿勢を維持する。具体的には、このロック機構８７は、曳舟本体８１に係合するロック部材１１０（図１０参照）と、安全カバー８８とを備えている。蓋８４は、図１０が示すように上記開口１０８を開放する姿勢から図８及び図９が示すように上記開口１０８を閉塞する閉じ姿勢に変化したときは、上記ロック部材１１０が上記開口１０８の近傍に設けられた係合部１２６（図１０参照）に係合する。これにより、蓋８４の閉じ姿勢が維持される。また、この状態で上記安全カバー８８が倒伏されることにより、当該安全カバー８８が上記ロック部材１１０に係合し、且つ当該ロック部材１１０を覆う。これにより、釣人は、この安全カバー８８を起立させない限り、上記ロック部材１１０を操作することができず、したがって、釣人が意図しないときに上記蓋８４が開放されることはない。
【００７０】
図１１は、本実施形態に係る鮎釣用曳舟８０の要部拡大斜視図であって、上記扉８６の構造が詳細に示されている。
【００７１】
前述のように、上記蓋８４は、上記扉８６を備えている。この扉８６は、上記蓋８４に設けられた鮎投入口１３２（図８〜図１０参照）を開閉するためのものである。この鮎投入口１３２は、上記収容室１０７と連通している。すなわち、本実施形態では、この鮎投入口１３２は、上記開口１０８を兼ねており、当該開口１０８の一部を構成している。釣人は、この扉８６を開けることにより、鮎投入口１３２から鮎を収容室１０７に投入することができる。なお、本実施形態では、曳舟本体８１に上記開口１０８が設けられ、この開口１０８を開閉する上記蓋８４が設けられているが、この蓋８４は省略されていてもよい。つまり、上記扉８６が上記曳舟本体８１の上面８３に直接取り付けられ、上記開口１０８が扉８６によって開閉されるように構成されていてもよい。
【００７２】
図８ないし図１０が示すように、上記鮎投入口１３２は略紡錘形ないし吊鐘形に形成されている。したがって、これを開閉する扉８６も全体として略紡錘形ないし吊鐘形に形成されている。この扉８６は、一対の扉片１２７、１２８を備えており、いわゆる観音開き式に開閉するようになっている。扉片１２７及び扉片１２８は、左右対称に形成されており、上記鮎投入口１３２を閉じる閉塞姿勢と上記鮎投入口１３２を開く開放姿勢との間で自在に姿勢変化する。
【００７３】
図１１が示すように、扉片１２７は、ベース１３１に支持されている。このベース１３１は、蓋８４の裏面１３０に固定されており、上記鮎投入口１３２の前後方向前側部分、すなわち曳舟本体８１の船首側部分に配置されている。扉片１２７の基端部１３３はフォーク状に形成されており、上記ベース１３１を挟持するように配置されている。このベース１３１と上記基端部１３３は、支持軸１２９を介して連結されている。つまり、扉片１２７の基端が上記鮎投入口１３２の前後方向前側部分（一端部）に配置された支持軸１２９によって回動自在に支持されており、この扉片１２７は、前後方向後方に延びるフラップ状に形成されている。なお、図１１では、支持軸１２９は、上記ベース１３１内に配置されているため、その中心のみが一点鎖線で示されている。
【００７４】
一方、扉片１２８は、ベース１３５に支持されている。このベース１３５も上記鮎投入口１３２の前後方向前側部分、すなわち曳舟本体８１の船首側部分に配置されている。このベース１３５と上記ベース１３１とは、互いに左右対称な位置に配置されており、ベース１３５は、蓋８４の裏面１３０に固定されている。扉片１２８の基端部１３６もフォーク状に形成されており、上記ベース１３５を挟持するように配置されている。このベース１３５と上記基端部１３６は、支持軸１３７を介して連結されている。上記ベース１３５と上記ベース１３１とが左右対称に配置されていることから、上記支持軸１３７と上記支持軸１２９とは左右対称に配置されている。つまり、扉片１２８は、その基端が上記鮎投入口１３２の前後方向前側部分（一端部）に配置された支持軸１３７によって回動自在に支持されており、この扉片１２８は、前後方向後方に延びるフラップ状に形成されている。なお、同図では、支持軸１３７は、上記ベース１３５内に配置されているため、その中心のみが一点鎖線で示されている。
【００７５】
本実施形態では、上記支持軸１２９及び上記支持軸１３７にねじりコイルバネ１３８、１３９（付勢部材）が設けられている。このねじりコイルバネ１３８は、ベース１３１と扉片１２７との間に介在されており、これにより、扉片１２７は、上記閉塞姿勢となるように弾性的に鮎投入口１３２の周縁部に付勢されている。同様に、ねじりコイルバネ１３９は、ベース１３５と扉片１２８との間に介在されており、これにより、扉片１２８は、上記閉塞姿勢となるように弾性的に鮎投入口１３２の周縁部に付勢されている。したがって、扉８６は常時閉じられており、釣人が扉片１２７、１２８を押圧した場合にのみ開けられる。
【００７６】
図１２は、支持軸１２９及び支持軸１３７の位置関係を示すための鮎釣用曳舟８０の模式図である。
【００７７】
同図では、上記支持軸１２９の位置は、当該支持軸１２９の一端部１４０を原点とする３次元直交座標系において記述される。すなわち、支持軸１２９の一端部１４０を原点として、上記曳舟本体８１の上面８３の両舷方向（短手方向）に沿う仮想線がＸ軸を構成し、このＸ軸に直交して上記上面８３の前後方向（長手方向）に沿う仮想線がＹ軸を構成する。そして、これらＸ軸及びＹ軸に直交する仮想線がＺ軸を構成している。
【００７８】
上記支持軸１２９の方向、すなわち、支持軸１２９の中心軸１４１は、次の要領で傾斜されている。図１３は、上記支持軸１３７の姿勢を決定する要領を（ａ）から（ｃ）の順に示す図である。
【００７９】
図１３（ａ）が示すように、まず、上記支持軸１２９は、Ｘ軸に沿って配置される。このとき、当該支持軸１２９の一端部１４０は、上記原点と一致している。すなわち、支持軸１２９の中心軸１４１が上記原点を通過している。次に、同図（ｂ）が示すように、支持軸１２９は、Ｙ軸の回りに角度αだけ回転される。角度αの方向は、支持軸１２９の他端部１４２が上記上面８３から離れる方向、すなわち同図（ｂ）では反時計回りの方向が正である。換言すれば、支持軸１２９の一端部１４０から他端部１４２に向かって当該支持軸１２９が上記収容室１０７側から上記上面８３側へ上り傾斜となる場合に、上記角度αの方向が正となる。本実施形態では、この角度αは負の値に設定されており、具体的には、−１０°に設定されている。ただし、この角度αは、扉片１２７、１２８のサイズや支持軸１２９及び支持軸１３７間の距離等に応じて、−１０°〜２０°の範囲で適宜設定される。この角度αが負（マイナス）の角度に設定されることにより、支持軸１２９の一端部１４０から他端部１４２に向かって、当該支持軸１２９は上記収容室３１側へ下り傾斜となる。さらに、同図（ｃ）が示すように、支持軸１２９は、Ｚ軸の回りに角度βだけ回転される。角度βについては、Ｘ軸からＹ軸側へ反時計回りの方向が正である。この角度βは、本実施形態では３０°に設定されている。ただし、この角度βは、２０°〜６０°の範囲で適宜設定される。
【００８０】
上記角度α、角度βが設定されることにより、上記支持軸１２９は、図１２が示すように三次元的に傾斜し、上記収容室１０７側へ下り傾斜となるように配置されている。一方、上記支持軸１３７は、上記支持軸１２９と左右対称に配置されている。すなわち、支持軸１３７は、上記曳舟本体８１の上面８３の長手方向を基準にして対称に配置されている。したがって、支持軸１３７も、その一端部１４３から他端部１４４に向かって上記収容室１０７側へ下り傾斜となるように三次元的に傾斜されている。
【００８１】
釣人は、扉８６を開くことにより鮎を曳舟本体８１の収容室１０７に入れることができる（図１０参照）。このとき、一対の扉片１２７、１２８は、それぞれ、上記支持軸１２９、１３７に回動自在に支持されているから、扉片１２７、１２８が閉じられた状態から開かれるときに、各扉片１２７、１２８は、その先端が上記鮎投入口１３２から上記収容室１０７の内奥部側に進入する状態で傾斜する。しかも、これら扉片１２７、１２８を支持する支持軸１２９、１３７が前述のように傾斜されているから、扉片１２７の基端部１３３と扉片１２８の基端部１３９とが互いに離反しつつ、各扉片１２７、１２８の先端側部分同士が近接する。つまり、上記角度が負の角度に設定されているから、上記角度βが設定されることによって各扉片１２７、１２８が互いに離反する作用が抑制され、その結果、一対の扉片１２７、１２８は、上記鮎投入口１３２から上記収容室１０７の内奥部側に傾斜するように、換言すれば、略漏斗状に開くことになる。
【００８２】
すなわち、この鮎釣用曳舟８０では、扉８６が上記収容室１０７の内奥部側に略漏斗状に開くので、釣人は、鮎を容易に上記収容室１０７内に挿入することができると共に、収容室１０７内の鮎が鮎投入口１３２から容易に外部に飛び出てしまうことがない。したがって、釣人は、釣竿、タモ網その他の釣道具を携帯しながら、円滑な実釣が可能である。
【００８３】
特に、本実施形態では、上記各支持軸１２９、１３７が上記鮎投入口１３２の前後方向前側部分に配置され、各扉片１２７、１２８の基端部１３３、１３６が上記各支持軸１２９、１３７に支持されているから、各扉片１２７、１２８は、上記基端部１３３、１３６から曳舟本体８１の前後方向後側に延びて上記鮎投入口１３２を閉じる。このため、各扉片１２７、１２８が開かれると、当該各扉片１２７、１２８は、前後方向前側から後側へ向かって傾斜しつつ上記鮎投入口１３２を開放する。実釣では、この鮎釣用曳舟８０の船首が釣人側に向くことになるから、釣人は、この鮎釣用曳舟８０を係留した状態で容易に各扉片１２７、１２８を開けることができ、鮎を各扉片１２７、１２８に沿って鮎投入口１３２の後側へ案内しながら上記収容室１０７に簡単に投入することができる。
【００８４】
また、本実施形態では、上記一対の扉片１２７、１２８は、常時閉じ状態となるように弾性的に上記鮎投入口１３２の周縁部に付勢されている。つまり、扉８６は常時閉じられるので、実釣中に鮎が曳舟本体８１から飛び出てしまうことはない。また、釣人は、一対の扉片１２７、１２８を手で押圧して開きながら鮎を上記収容室１０７に簡単に投入することができるし、鮎が投入された後は、一対の扉片１２７、１２８が直ちに閉じられるので、鮎が収容室１０７から飛び出すことが確実に防止される。
【産業上の利用可能性】
【００８５】
本発明は、鮎釣りに使用される曳舟、オトリ缶のほか磯釣りに使用されるバックその他の釣用容器に適用され得る。
【図面の簡単な説明】
【００８６】
【図１】図１は、本発明の第１の実施形態に係るオトリ缶の斜視図である。
【図２】図２は、本発明の第１の実施形態に係るオトリ缶の本体の斜視図である。
【図３】図３は、本発明の第１の実施形態に係るオトリ缶の外蓋の要部拡大斜視図である。
【図４】図４は、本発明の第１の実施形態に係るオトリ缶の本体の要部拡大平面図である。
【図５】図５は、本発明の第１の実施形態に係るオトリ缶の本体の斜視図である。
【図６】図６は、本発明の第１の実施形態に係るオトリ缶に設けられた一対の支持軸の位置関係を模式的に示す図である。
【図７】図７は、本発明の第１の実施形態に係るオトリ缶に設けられた支持軸の姿勢を決定する要領を（ａ）から（ｃ）の順に示す図である。
【図８】図８は、本発明の第２の実施形態に係る鮎釣用曳舟の斜視図である。
【図９】図９は、本発明の第２の実施形態に係る鮎釣用曳舟の斜視図である。
【図１０】図１０は、本発明の第２の実施形態に係る鮎釣用曳舟の斜視図である。
【図１１】図１１は、本発明の第２の実施形態に係る鮎釣用曳舟の要部拡大斜視図である。
【図１２】図１２は、本発明の第２の実施形態に係る鮎釣用曳舟に設けられた一対の支持軸の位置関係を示すための模式図である。
【図１３】図１３は、本発明の第２の実施形態に係る鮎釣用曳舟に設けられた支持軸の姿勢を決定する要領を（ａ）から（ｃ）の順に示す図である。
【符号の説明】
【００８７】
１０・・・オトリ缶
１１・・・本体
１８・・・本体の上面
４０・・・内蓋の上面
４１・・・副蓋
４４・・・外縁
４５・・・扉
４６・・・扉片
４７・・・扉片
５０・・・開口
５１・・・副蓋の上面
５２・・・支持軸
５３・・・支持軸
５７・・・基端部
５９・・・基端部
６０・・・ねじりコイルバネ
６１・・・ねじりコイルバネ
６２・・・中心軸
６３・・・中心軸
６６・・・一端部
６７・・・他端部
６８・・・一端部
６９・・・他端部
８０・・・鮎釣用曳舟
８１・・・曳舟本体
８３・・・上面
８４・・・蓋
８６・・・扉
１０７・・・収容室
１０８・・・開口
１２７・・・扉片
１２８・・・扉片
１２９・・・支持軸
１３２・・・鮎投入口
１３３・・・基端部
１３６・・・基端部
１３７・・・支持軸
１３８・・・ねじりコイルバネ
１３９・・・ねじりコイルバネ
１４０・・・一端部
１４２・・・他端部
１４３・・・一端部
１４４・・・他端部
【図１】
0004454564.tif 000002
【図２】
0004454564.tif 000003
【図３】
0004454564.tif 000004
【図４】
0004454564.tif 000005
【図５】
0004454564.tif 000006
【図６】
0004454564.tif 000007
【図７】
0004454564.tif 000008
【図８】
0004454564.tif 000009
【図９】
0004454564.tif 000010
【図１０】
0004454564.tif 000011
【図１１】
0004454564.tif 000012
【図１２】
0004454564.tif 000013
【図１３】
0004454564.tif 000014